(57)【特許請求の範囲】
【請求項１】
コンクリートブロック塀に添装される長尺状の化粧本体部と、該化粧本体部の前記コンクリートブロック塀に向き合う側に突設されて該化粧本体部の長手方向に長い取付け板部とを有し、
前記化粧本体部を前記コンクリートブロック塀の側面に添装状態にして、該コンクリートブロック塀の側面に備えられている溝状凹部内に充填された接着剤で前記取付け板部の少なくとも一部を該コンクリートブロック塀に止着して用いるようにしてあることを特徴とするコンクリートブロック塀用化粧体。
【請求項２】
コンクリートブロック塀に添装される長尺状の化粧本体部と、該化粧本体部の前記コンクリートブロック塀に向き合う側に突設されて該化粧本体部の長手方向に長い取付け板部とを有し、
前記化粧本体部を前記コンクリートブロック塀の側端面に添装状態にして、該コンクリートブロック塀の側端面に備えられている溝状凹部内に充填された接着剤で前記取付け板部の少なくとも一部を該コンクリートブロック塀に止着して用いるようにしてあることを特徴とするコンクリートブロック塀用化粧体。
【請求項３】
前記化粧本体部を、長尺状の化粧板部と該化粧板部の夫々の長手側縁から屈曲されて互いに並行に向き合って備えられる側面板部とを有する構成としてあると共に、前記取付け板部を、前記側面板部間にある前記化粧板部から該側面板部に平行に突設してあることを特徴とする請求項１又は請求項２に記載のコンクリートブロック塀用化粧体。
【発明の詳細な説明】
【０００１】
【発明の属する技術分野】
この発明は、容易に施工ができると共に優れた外観特性をコンクリートブロック塀にもたらし得るコンクリートブロック塀用化粧体の提供に関する。
【０００２】
【従来の技術】
従来、境界壁などの区画の手段や目隠しの手段などとして各種のコンクリートブロック塀が用いられている。
【０００３】
かかるコンクリートブロック塀は、各境界の区画機能や、生活空間の目隠し機能などの実用的な機能を奏する構成を備えたものとして構成される一方で、建築物の外回りなどに特有の意匠性をもたらす目的をもって構成されていた。
【０００４】
かかる意匠的な特長を当該コンクリートブロック塀にもたらすものとして、スプリットブロックなどの各種の化粧コンクリートブロックの積込みによってコンクリートブロック塀を構成することが試みられていた。
【０００５】
【発明が解決しようとする課題】
しかしながら、かかる化粧コンクリートブロックを用いたコンクリートブロック塀は、凹凸様の化粧リブなどを表面に備えたコンクリートブロックを単に積み上げて構成したものであって、構成される塀の面が、単に凹凸を有する一様の塀面とされており、コンクリートブロック塀のイメージを脱却し得るものではなかった。
【０００６】
この発明に係るコンクリートブロック塀用化粧体は、かかる従来のコンクリートブロック塀における不具合を解消して、コンクリートブロック塀の各構成部分に長尺状の化粧体を添装状態に止め付けて、当該コンクリートブロック塀に特有の意匠的外観を容易にもたらすことを目的としている。
【０００７】
【課題を解決するための手段】
請求項１に記載の発明は、前記の目的を達成するために、コンクリートブロック塀に添装される長尺状の化粧本体部と、該化粧本体部の前記コンクリートブロック塀に向き合う側に突設されて該化粧本体部の長手方向に長い取付け板部とを有し、
前記化粧本体部を前記コンクリートブロック塀の側面に添装状態にして、該コンクリートブロック塀の側面に備えられている溝状凹部内に充填された接着剤で前記取付け板部の少なくとも一部を該コンクリートブロック塀に止着して用いるようにしてあることを特徴とするコンクリートブロック塀用化粧体としてある。
【０００８】
このように構成されるコンクリートブロック塀用化粧体にあっては、コンクリートブロック塀に備えられている溝状凹部内に充填された接着剤に対して取付け板部を差入れ且つ化粧本体部を前記コンクリートブロック塀に添装状態にして、該取付け板部を前記接着剤で該コンクリートブロック塀に止着することで、該コンクリートブロック塀に長尺状の化粧体を容易且つ確実に設けることができる。
【０００９】
このように構成されるコンクリートブロック塀用化粧体にあっては、コンクリートブロック塀の構築に際して、このコンクリートブロック塀に当該化粧体を備え付けることができると共に、既設のコンクリートブロック塀に対して、当該化粧体を容易且つ確実に取付けて、コンクリートブロック塀を特有の意匠的外観を備えたものとして構成することができる。
【００１０】
また、このように構成されるコンクリートブロック塀用化粧体にあっては、夫々の化粧目的に対応する外観を有する当該化粧体を用意することによって、コンクリートブロック塀の構成素材や構造などと切り離して、当該コンクリートブロック塀の意匠的外観を形成することができる。
【００１２】
このように構成されるコンクリートブロック塀用化粧体は、該コンクリートブロック塀の各側面に柱様、化粧帯様の化粧を当該コンクリートブロック塀に容易にもたらすことができる。
【００１５】
次いで、請求項２に記載の発明は、前記目的を達成するために、 コンクリートブロック塀に添装される長尺状の化粧本体部と、該化粧本体部の前記コンクリートブロック塀に向き合う側に突設されて該化粧本体部の長手方向に長い取付け板部とを有し、
前記化粧本体部を前記コンクリートブロック塀の側端面に添装状態にして、該コンクリートブロック塀の側端面に備えられている溝状凹部内に充填された接着剤で前記取付け板部の少なくとも一部を該コンクリートブロック塀に止着して用いるようにしてあることを特徴とするコンクリートブロック塀用化粧体としてある。
【００１６】
このように構成されるコンクリートブロック塀用化粧体にあっては、コンクリートブロック塀に備えられている溝状凹部内に充填された接着剤に対して取付け板部を差入れ且つ化粧本体部を前記コンクリートブロック塀に添装状態にして、該取付け板部を前記接着剤で該コンクリートブロック塀に止着することで、該コンクリートブロック塀に長尺状の化粧体を容易且つ確実に設けることができる。
また、このように構成されるコンクリートブロック塀用化粧体にあっては、コンクリートブロック塀の構築に際して、このコンクリートブロック塀に当該化粧体を備え付けることができると共に、既設のコンクリートブロック塀に対して、当該化粧体を容易且つ確実に取付けて、コンクリートブロック塀を特有の意匠的外観を備えたものとして構成することができる。
また、このように構成されるコンクリートブロック塀用化粧体にあっては、夫々の化粧目的に対応する外観を有する当該化粧体を用意することによって、コンクリートブロック塀の構成素材や構造などと切り離して、当該コンクリートブロック塀の意匠的外観を形成することができる。
このように構成されるコンクリートブロック塀用化粧体は、該コンクリートブロック塀の側端面に小口柱様の化粧を当該コンクリートブロック塀に容易にもたらすことができる。
【００１７】
次いで、請求項３に記載の発明は、前記の目的を達成するために、前記請求項１又は請求項２に記載の発明において、前記化粧本体部を、長尺状の化粧板部と該化粧板部の夫々の長手側縁から屈曲されて互いに並行に向き合って備えられる側面板部とを有する構成としてあると共に、前記取付け板部を、前記側面板部間にある前記化粧板部から該側面板部に平行に突設してあることを特徴とするコンクリートブロック塀用化粧体としてある。
【００１８】
このように構成されるコンクリートブロック塀用化粧体は、前記特長に併せて、該コンクリートブロック塀から突き出し状態に柱様、化粧帯様の化粧を当該コンクリートブロック塀に容易にもたらすことができる。
【００１９】
【発明の実施の形態】
以下、本発明の典型的な一実施の形態に係るコンクリートブロック塀用化粧体Ａについて詳細に説明する。
図１及び図２は、この典型的な一実施の形態に係るコンクリートブロック塀用化粧体Ａを、図３〜図５は当該コンクリートブロック塀用化粧体Ａをコンクリートブロック塀Ｂに用いた第１の適用例を、図６〜図８は第２の適用例を夫々示している。
【００２０】
図１は、この発明の典型的な一実施の形態に係るコンクリートブロック塀用化粧体Ａを一部を省略して斜め上方から見て、図２は、これを断面して示している。
また、図３は、これを取付け対象であるコンクリートブロック塀Ｂに設ける状態を斜め上方から見て、図４は、該コンクリートブロック塀用化粧体Ａの備えられたコンクリートブロック塀Ｂを水平の向きで断面して、更に、図５は、このコンクリートブロック塀Ｂを縦方向で断面して示している。
また、図６は、このコンクリートブロック塀用化粧体Ａを取付け対象である他のコンクリートブロック塀Ｂに設ける状態を斜め上方から見て、図７は、これを水平方向で断面して、図８は、これを縦方向で断面して示している。
【００２１】
この典型的な実施の形態に係るコンクリートブロック塀用化粧体Ａは、コンクリートブロック塀Ｂに添装される長尺状の化粧本体部１０と、該化粧本体部１０の前記コンクリートブロック塀Ｂに向き合う側に突設されて該化粧本体部１０の長手方向に長い取付け板部２０とを有し、前記化粧本体部１０を前記コンクリートブロック塀Ｂに添装状態にして、該コンクリートブロック塀Ｂに備えられている溝状凹部４４内に充填された接着剤Ｃで前記取付け板部２０の少なくとも一部を該コンクリートブロック塀Ｂに一体に止着して用いるようにしてある。
【００２２】
かかるコンクリートブロック塀Ｂに備え付けられるコンクリートブロック塀用化粧体Ａは、取付け対象とされるコンクリートブロック塀Ｂに添装状態に備えられる長尺状の化粧本体部１０と、この化粧本体部１０の長手方向に長い取付け板部２０を一体に有する構成としてあり、当該コンクリートブロック塀Ｂに添装状態に備えられる長尺状の化粧本体部１０及び該化粧本体部１０の長手方向に長い取付け板部２０を該化粧本体部１０に一体に備えているものであれば、いかなる形状、寸法からなるものであっても、また、いかなる素材によって構成してあってもよい。
【００２３】
ここでコンクリートブロック塀Ｂに備え付け用いられるコンクリートブロック塀用化粧体Ａは、このコンクリートブロック塀Ｂに対して構成を予定される外観意匠に対応する形状、寸法を備えて当該意匠の構成に都合の良い素材によって構成される。
【００２４】
かかるコンクリートブロック塀用化粧体Ａは、前記化粧本体部１０と取付け板部２０とを一体に備えた各種の板状長尺状材、例えば、各種素材からなる板状プラスチック材、ステンレススチール板材や各種鋼板材や銅合金板材やアルミ合金板材などの各種の板状金属材、各種の板状セラミックス材などによって構成することができる。
【００２５】
かかるコンクリートブロック塀用化粧体Ａは、例えば、各種の板金や各種の型成形によって成形提供されるものを用いることができる。
更に、典型的には、各種の型成形品、例えば、アルミの押出し形材やプラスチック成形品などを用いることができる。
【００２６】
かかるコンクリートブロック塀用化粧体Ａを構成する化粧本体部１０は、該コンクリートブロック塀用化粧体Ａがコンクリートブロック塀Ｂに備えられて当該コンクリートブロック塀Ｂの面に目的とする意匠を構成し得る任意の形状、幅及び長さを有するものとして構成される。
【００２７】
また、この化粧本体部１０に一体に備えられている取付け板部２０は、この化粧本体部１０の前記コンクリートブロック塀Ｂに向き合っている側から突設される該化粧本体部１０の長手方向に長い構成としてあって、この取付け板部２０を備えて構成されるコンクリートブロック塀用化粧体Ａを前記コンクリートブロック塀Ｂにおける溝状凹部４４内に充填された接着剤Ｃによって該コンクリートブロック塀Ｂに一体に止着され得る形状、寸法を備えたものとして構成される。
【００２８】
かかるコンクリートブロック塀用化粧体Ａを構成する化粧本体部１０は、この図示例にあっては、略長方形状に構成されている化粧板部１１における夫々の長さ方向にある縁から互いに同一の側に向けて略直角に屈曲した側面板部１２を備えた構成としてあり、この夫々の側面板部１２の先端が、当該コンクリートブロック塀用化粧体Ａを前記コンクリートブロック塀Ｂに備え付けた際に、このコンクリートブロック塀Ｂの面に接し、あるいは近接し、あるいは、このコンクリートブロック塀Ｂに備えられる溝状凹部４４内に入れ込まれるように構成し、当該化粧本体部１０によって、コンクリートブロック塀Ｂの面に間柱様、小口柱様、笠木様の意匠的突出し部を構成し得るようにしてある。
【００２９】
また、この化粧本体部１０の化粧板部１１に備えられる取付け板部２０は、この図示例では、前記各側面板部１２間にあって、この側面板部１２間の略中央を通る線分上に該各側面板部１２に平行で、しかも、前記化粧板部１１の面から略直角に突き出すように設けてあり、その先端が、前記各側面板部１２の先端間を結ぶ線分上にあるように構成してある。
【００３０】
かかる化粧本体部１０に一体に備えられる取付け板部２０は、この取付け板部２０を前記コンクリートブロック塀Ｂの溝状凹部４４内に充填された接着剤Ｃによって該コンクリートブロック塀Ｂに一体に止着し得るものであれば、いかなる形状に構成してあってもよく、この図示例にあっては、この取付け板部２０の先端部を、その断面形状が先端側に突き出す銛状部２１に構成してあり、この銛状部２１の基部側にある返し部２１ａが前記接着剤Ｃに都合良く食いつき接着される構成としてある。
【００３１】
また、この図示例にかかるコンクリートブロック塀用化粧体Ａは、前記化粧板部１１の夫々の長手方向にある縁に沿って備えられている前記側面板部１２の先端部を、互いに向き合う側に向けて略直角に屈曲して鍔状屈曲部１２ａとしてあり、この側面板部１２の先端部を前記取付け板部２０におけると同様に前記コンクリートブロック塀Ｂの溝状凹部４４内に充填された接着剤Ｃ内に差し入れて、該側面板部１２を前記コンクリートブロック塀Ｂに一体に都合良く接着し得る構成としてある。
【００３２】
また、この鍔状屈曲部１２ａを含む前記側面板部１２と化粧板部１１並びに前記取付け板部２０における前記コンクリートブロック塀Ｂの取付け面側にある面、具体的には、前記側面板部１２の互いに向き合っている面１２’と、これに連続されている前記コンクリートブロック塀Ｂに向き合っている化粧板部１１の面１１’と、この化粧板部１１の面１１’から突設されている前記取付け板部２０の両面２０’と、前記側面板部１２の互いに向き合っている面１２’に連続している前記鍔状屈曲部１２ａの面１２’ａとを、凸条と凹条とを順次に連続して有する止着面３０として構成してあり、前記コンクリートブロック塀Ｂの溝状凹部４４内に充填された接着剤Ｃに当該コンクリートブロック塀用化粧体Ａが、より効果的に食いつき状態で止着され得るようにしてある。
【００３３】
また、かかるコンクリートブロック塀Ｂに備えられるコンクリートブロック塀用化粧体Ａにあっては、前記コンクリートブロック塀用化粧体Ａの表面側、即ち、前記コンクリートブロック塀Ｂに対する取付け面側以外の面、より具体的には、前記コンクリートブロック塀Ｂに向き合っている側と反対の側にある前記化粧板部１１の面１１”と前記側面板部１２の互いに向き合っている側と反対側の面１２”に適宜の化粧を施して構成される。
【００３４】
かかるコンクリートブロック塀用化粧体Ａの化粧は、このコンクリートブロック塀用化粧体Ａを構成する素材面を表面に露出させることによってなすようにしてあってもよく、また、このコンクリートブロック塀用化粧体Ａを構成する前記の面１１”、面１２”に吹きつけ、塗りつけ、焼き付けなどによる塗装処理を施し、あるいは、この面１１”、面１２”に樹脂塗膜層をコーテイングによって構成し、あるいは、この面１１”、面１２”に適宜の化粧シート材や化粧フイルム材、例えば、各種のプラスチックシート材やプラスチックフイルム材をラミネートによって積層状態に設けるなど、各種の表面化粧層１３を備えたものとして構成してあってもよい。
【００３５】
図示例にあっては、かかる表面化粧層１３の典型例として、前記面１１”、面１２”に化粧シート材を、その周縁部が前記鍔状屈曲部１２ａの内側まで延びるようにラミネートして設け、前記面１１”及び面１２”を覆うように備えられる該表面化粧層１３の剥離を効果的に防止するようにしてある。
【００３６】
また、この図示例にあっては、前記化粧本体部１０における化粧板部１１と側面板部１２との屈曲連設部の内側に沿って、互いに向き合い且つ先端側を漸次近付けるように湾曲した一対の弧状片３１ａ、３１ａで構成される溝状部３１を備えた構成としてある。
この溝状部３１は、一対の弧状片３１ａ、３１ａによって構成される半円より大きい円弧状の断面を備えたものとしてあり、別段に用意される開口塞ぎ板５０を当該コンクリートブロック塀用化粧体Ａの側端部に止め付けるタッピングスクリュー５１のねじ込み手段として用い得るようにしてある。
【００３７】
また、かかる塞ぎ板５０の止め付けに用いられる溝状部３１を、前記化粧本体部１０における長手方向に亙って設け、この化粧本体部１０を備えて構成されるコンクリートブロック塀用化粧体Ａを、その任意の長さ位置で切断して、その夫々の切断端面に対して、当該塞ぎ板５０を確実に止め付け得るようにしてある。
【００３８】
かかる化粧本体部１０の側端部に止め付けられる塞ぎ板５０は、コンクリートブロック塀Ｂに備えられたコンクリートブロック塀用化粧体Ａにおける該コンクリートブロック塀Ｂの面から突き出している該化粧本体部１０の一対の側面板部１２間と化粧板部１１とに亙って備えられる四角形板としてあり、しかも、当該塞ぎ板５０における前記化粧板部１１に沿う縁部の両側部分に備えられた孔５０ａから前記溝状部３１にタッピングスクリューをねじ入れて、この塞ぎ板５０を前記化粧本体部１０の側端部に止め付け用い得るようにしてある。
かかる塞ぎ板５０は、前記コンクリートブロック塀用化粧体Ａと共にコンクリートブロック塀Ｂに取付け用い得る素材であれば、いかなる素材によって構成してあってもよく、例えば、プラスチック材、ステンレススチール材や各種鋼材や銅合金材やアルミ合金材などの各種の金属材、各種のセラミックス材などによって構成することができる。
また、この塞ぎ板５０は、その表面を化粧面とすることが好ましい。
かかる化粧は、例えば、該塞ぎ板５０面に対する化粧シートや化粧フイルムのラミネート処理、各種塗料の塗装処理、各種化粧膜層のコーテイング処理などによる化粧とすることができ、例えば、この塞ぎ板５０の取付け用いられるコンクリートブロック塀用化粧体Ａの化粧に適合した化粧とすることができる。
【００３９】
かかるコンクリート塀用化粧体ＡをコンクリートブロックＢに止着する手段として用いられる接着剤Ｃは、前記溝状凹部４４内に充填可能で、しかも、該コンクリート塀用化粧体ＡをコンクリートブロックＢに一体に都合良く止め付け得る接着機能を有するものであれば、いかなる接着剤であってもよく、例えば、エポキシ系接着剤やウレタン系接着剤などの各種の合成樹脂系接着剤や、セメントペーストやセメントモルタルなどのセメント系接着剤などの各種の接着剤が、当該コンクリートブロックＢに対するコンクリート塀用化粧体Ａの取り付けの各態様に合わせて用いられる。
【００４０】
かかる構成からなるコンクリートブロック塀用化粧体Ａの取付け対象であるコンクリートブロック塀Ｂは、前記接着剤Ｃが充填されると共に前記コンクリートブロック塀用化粧体Ａにおける取付け板部２０の差し入れ得る溝状凹部４４を備えたコンクリートブロック塀Ｂであれば、いかなる構成のコンクリートブロック塀Ｂであってもよく、通常コンクリートブロックの積込みによって構成される各種のコンクリートブロック塀Ｂであっても、また、スプリットコンクリートブロックなどの各種の化粧コンクリートブロックの積込みによって構成されるコンクリートブロック塀Ｂであってもよい。
【００４１】
図３〜図５で示されるコンクリートブロック塀Ｂは、縦方向に化粧用の溝状凹部を有するコンクリートブロック４０を用いてコンクリートブロック塀Ｂを常法によって構成したものであって、縦筋４２を所定間隔毎に備えた基礎上に順次にセメントモルタル４１を介在させながら該コンクリートブロック４０を積み上げ、所定高さ毎に横筋４３を配しながら所定積み込み高さまで積み上げて構成してあり、この積み込まれた当該コンクリートブロック４０の縦方向にある溝状凹部によって、コンクリートブロック塀Ｂの夫々の側面Ｂａに、前記接着剤Ｃが充填され且つ前記コンクリートブロック塀用化粧体Ａの取付け板部２０が入れ込み止着される溝状凹部４４として用いられる縦方向の溝状凹部４４ａを備えた構成としてある。
【００４２】
また、前記コンクリートブロック塀Ｂの構成において、必要に応じて、その上端部に横筋用コンクリートブロック４０’を積み上げ、この横筋用コンクリートブロック４０’の上面の長さ方向にある溝状凹部によって、前記接着剤Ｃが充填され且つ前記コンクリートブロック塀用化粧体Ａの取付け板部２０が入れ込み止着される溝状凹部４４として用いられる溝状凹部４４ｂを該コンクリートブロック塀Ｂの上端面Ｂｂに水平の向きに連続するように構成する。
【００４３】
また、前記コンクリートブロック塀Ｂの構成において、このコンクリートブロック塀Ｂの側端部を、必要に応じて、隅コンクリートブロックに代えて、側面の上下方向に溝状凹部を有する通常コンクリートブロック４０”を用いて構成し、このコンクリートブロック塀Ｂの側端面Ｂｃに、前記接着剤Ｃが充填され且つ前記コンクリートブロック塀用化粧体Ａの取付け板部２０が入れ込み止着される溝状凹部４４として用いられる溝状凹部４４ｃを、前記コンクリートブロック４０”の溝状凹部によって上下方向に連続するように構成する。
【００４４】
なお、図において４５は門扉の設置部を、４６はフェンスを示している。
【００４５】
図６〜図８で示されるコンクリートブロック塀Ｂは、横方向に化粧用の溝状凹部を有するコンクリートブロック４０を用いてコンクリートブロック塀Ｂを常法によって構成したものであって、縦筋４２を所定間隔毎に備えた基礎上に順次にセメントモルタル４１を介在させながら該コンクリートブロック４０を積み上げ、所定高さ毎に横筋４３を配しながら所定積み込み高さまで積み上げて構成してあり、この積み込まれた当該コンクリートブロック４０の横方向にある溝状凹部によって、コンクリートブロック塀Ｂの夫々の側面Ｂａに、前記接着剤Ｃが充填され且つ前記コンクリートブロック塀用化粧体Ａの取付け板部２０が入れ込み止着される溝状凹部４４として用いられる横方向の溝状凹部４４ａを備えた構成とする。
【００４６】
また、前記コンクリートブロック塀Ｂの構成において、必要に応じて、その上端部に横筋用コンクリートブロック４０’を積み上げ、この横筋用コンクリートブロック４０’の上面の長さ方向にある溝状凹部によって、前記接着剤Ｃが充填され且つ前記コンクリートブロック塀用化粧体Ａの取付け板部２０が入れ込み止着される溝状凹部４４として用いられる溝状凹部４４ｂを該コンクリートブロック塀Ｂの上端面Ｂｂに水平の向きに連続するように構成する。
【００４７】
また、前記コンクリートブロック塀Ｂの構成において、このコンクリートブロック塀Ｂの側端部を、必要に応じて、隅コンクリートブロックに代えて、側面の上下方向に溝状凹部を有する通常コンクリートブロック４０”を用いて構成し、このコンクリートブロック塀Ｂの側端面Ｂｃに、前記接着剤Ｃが充填され且つ前記コンクリートブロック塀用化粧体Ａの取付け板部２０が差し入れ止着される溝状凹部４４として用いられる溝状凹部４４ｃを、前記コンクリートブロック４０”の溝状凹部によって上下方向に連続するように構成する。
【００４８】
なお、図において４５は門扉の設置部を、４６はフェンスを示している。
【００４９】
このように構成されるコンクリートブロック塀Ｂにおける前記溝状凹部４４に対して、前記接着剤Ｃを充填し、この充填接着剤Ｃによって前記コンクリートブロック塀用化粧体Ａを前記コンクリート塀Ｂに一体に止め付け、当該コンクリートブロック塀Ｂの外面意匠を構成する。
また、このコンクリートブロック塀Ｂに止め付けられたコンクリートブロック塀用化粧体Ａにおける側端面に、適宜、必要に応じて、前記塞ぎ板５０を添装し、この塞ぎ板５０を前記孔５０ａからタッピングスクリュー５１を前記コンクリートブロック塀用化粧体Ａの前記溝状部３１にねじ入れて、該コンクリートブロック塀用化粧体Ａに止め付けて、当該コンクリートブロック塀Ｂの外面意匠を構成する。
あるいは、また、適宜、必要に応じて、このコンクリートブロック塀Ｂに止め付けられるコンクリートブロック塀用化粧体Ａにおける側端面に、前もって、前記塞ぎ板５０を添装し、この塞ぎ板５０を前記孔５０ａからタッピングスクリュー５１を前記コンクリートブロック塀用化粧体Ａの前記溝状部３１にねじ入れて、該コンクリートブロック塀用化粧体Ａに止め付け用意し、これを前記コンクリートブロック塀Ｂに添装すると共に前記接着剤Ｃを用いて該コンクリートブロック塀Ｂに止め付けて、当該コンクリートブロック塀の外面意匠を構成する。
【００５０】
かかるコンクリートブロック塀Ｂに対するコンクリートブロック塀用化粧体Ａの取付けは、前記コンクリートブロック塀Ｂに備えられる溝状凹部４４に前記接着剤Ｃを充填し、この充填接着剤Ｃにコンクリートブロック塀用化粧体Ａにおける前記取付け板部２０を差し入れ、該接着剤Ｃの硬化による接着によってなされる。
【００５１】
かかるコンクリートブロック塀用化粧体Ａの前記コンクリートブロック塀Ｂに対する止着に用いられる接着剤Ｃは、前記溝状凹部４４内に充填されて前記コンクリートブロック塀用化粧体Ａを、その取付け板部２０の少なくとも一部において前記コンクリートブロック塀Ｂに一体に止着し得る態様に備えられておれば、いかなる態様で当該溝状凹部４４内に充填されていてもよく、例えば、前記溝状凹部４４の全長に亙って充填されていてもよく、また、該溝状凹部４４の長さ方向の一部に部分的に充填されていても良い。また、この溝状凹部４４の凹部をその深さ方向で完全に埋めるように充填されていても良く、また、該溝状凹部４４の底部分に部分的に充填されていてもよい。
【００５２】
かかるコンクリートブロック塀Ｂに備え付けられるコンクリートブロック塀用化粧体Ａは、夫々に当該コンクリートブロック塀Ｂに構成される外観意匠に対応した部分の前記各溝状凹部４４の任意の溝状凹部４４を用い、この選択された溝状凹部４４に対して、適宜接着剤Ｃを充填用意し、コンクリートブロック塀Ｂに対して化粧本体部１０を添装状態にしたコンクリートブロック塀用化粧体Ａの取付け板部２０を、この溝状凹部４４内の接着剤Ｃに差し入れ、この溝状凹部４４内で該取付け板部２０を当該コンクリートブロック塀Ｂに対して一体に止着するようにして、当該コンクリートブロック塀用化粧体Ａを当該コンクリートブロック塀Ｂに設けている。
【００５３】
かかるコンクリートブロック塀用化粧体Ａは、更に、具体的には、前記コンクリートブロック塀Ｂにおける夫々の側面Ｂａにある縦方向の溝状凹部４４ａに前記の接着剤Ｃ、典型的には、各種の合成樹脂系の接着剤、例えば、エポキシ接着剤やウレタン系接着剤などからなる接着剤Ｃを充填用意し、当該コンクリートブロック塀用化粧体Ａの取付け板部２０を該接着剤Ｃ内に差入れ、該コンクリートブロック塀Ｂに一体に止着して、該コンクリートブロック塀Ｂの側面Ｂａに縦方向に向けてコンクリートブロック塀用化粧体Ａを設け、所謂、間柱様の付け柱状化粧外観を当該コンクリートブロック塀Ｂにもたらす。
【００５４】
かかるコンクリートブロック塀Ｂに備えられるコンクリートブロック塀用化粧体Ａは、必要に応じて、その上端部上を、このコンクリートブロック塀Ｂに備えられる笠木や、該コンクリートブロック塀Ｂの上端面Ｂｂに備えられる横向きのコンクリートブロック塀用化粧体Ａによって覆うように構成する。
また、必要に応じて、この縦向きに備えられたコンクリートブロック塀用化粧体Ａの上端部に前記塞ぎ板５０をタッピングスクリュー５１によって止め付け、このコンクリートブロック塀用化粧体Ａにおける上端側の開口を、この塞ぎ板５０によって塞いだ構成とする。
また、必要に応じて、この縦向きに備えられるコンクリートブロック塀用化粧体Ａの上端部に前記塞ぎ板５０をタッピングスクリュー５１によって前もって止め付け用意し、この塞ぎ板５０を備えたコンクリートブロック塀用化粧体Ａを、この塞ぎ板５０側を上方にしてコンクリートブロック塀Ｂに前記接着剤Ｃで止め付け、上端部の塞がれた、所謂、間柱様の付け柱状化粧外観のコンクリートブロック塀Ｂを構成する。
【００５５】
なお、この図示例にあっては、該コンクリートブロック塀用化粧体Ａのコンクリートブロック塀Ｂに対する取り付けにおいて、前記コンクリートブロック塀用化粧体Ａにおける前記各側面板部１２の先端側を前記コンクリートブロック塀Ｂに備えられる各溝状凹部４４ａ内に入れ込むことによって、当該コンクリートブロック塀用化粧体Ａを更に意匠効果の高い状態でコンクリートブロック塀Ｂに備えさせるようにしてある。
かかるコンクリートブロック塀用化粧体Ａのコンクリートブロック塀Ｂに対する取り付けにおいて、該コンクリートブロック塀用化粧体Ａの側面板部１２の入れ込まれる溝状凹部４４ａ内に、前もって前記接着剤Ｃ、典型的には、各種の合成樹脂系接着剤、例えば、エポキシ系接着剤やウレタン系接着剤などからなる接着剤Ｃを充填用意すると共に、この接着剤Ｃ内に前記側面板部１２の先端部を差入れてコンクリートブロック塀Ｂに一体に止着するようにしてある。
【００５６】
また、前記コンクリートブロック塀用化粧体Ａは、前記コンクリートブロック塀Ｂにおける夫々の側面Ｂａにある横方向の溝状凹部４４ａに前記接着剤Ｃ、典型的には、各種の合成樹脂系の接着剤、例えば、エポキシ系接着剤やウレタン系接着剤などからなる接着剤Ｃを充填用意し、当該コンクリートブロック塀用化粧体Ａの取付け板部２０を該接着剤Ｃ内に差入れて該コンクリートブロック塀Ｂに一体に止着して、該コンクリートブロック塀Ｂの側面Ｂａに横方向に向けてコンクリートブロック塀用化粧体Ａを設け、所謂、化粧帯様の付け梁状化粧外観を当該コンクリートブロック塀Ｂにもたらす。
【００５７】
かかるコンクリートブロック塀Ｂに備えられるコンクリートブロック塀用化粧体Ａは、必要に応じて、その側端面を、このコンクリートブロック塀Ｂの側端面Ｂｃに備えられる縦向きのコンクリートブロック塀用化粧体Ａによって覆うように構成する。
また、必要に応じて、この横向きに備えられたコンクリートブロック塀用化粧体Ａの側端部に前記塞ぎ板５０をタッピングスクリュー５１によって止め付け、このコンクリートブロック塀用化粧体Ａにおける側端側の開口を、この塞ぎ板５０によって塞いだ構成とする。
また、必要に応じて、この横向きに備えられるコンクリートブロック塀用化粧体Ａの側端部に前記塞ぎ板５０をタッピングスクリュー５１によって前もって止め付け用意し、この塞ぎ板５０を備えたコンクリートブロック塀用化粧体Ａを、この塞ぎ板５０側を側端としてコンクリートブロック塀Ｂに前記接着剤Ｃで止め付け、側端部の塞がれた、所謂、化粧帯様の付け梁状化粧外観のコンクリートブロック塀Ｂを構成する。
【００５８】
なお、この図示例にあっては、該コンクリートブロック塀用化粧体Ａのコンクリートブロック塀Ｂに対する取り付けにおいて、前記コンクリートブロック塀用化粧体Ａにおける前記各側面板部１２の先端側を前記コンクリートブロック塀Ｂに備えられる各溝状凹部４４ａ内に入れ込むことによって当該コンクリートブロック塀用化粧体Ａを更に意匠効果の高い状態でコンクリートブロック塀Ｂに備えさせるようにしてある。
【００５９】
かかるコンクリートブロック塀用化粧体Ａのコンクリートブロック塀Ｂに対する取り付けにおいて、該コンクリートブロック塀用化粧体Ａの側面板部１２の入れ込まれる溝状凹部４４ａ内に、前もって前記接着剤Ｃ、典型的には、各種の合成樹脂系接着剤、例えば、エポキシ系接着剤やウレタン系接着剤などからなる接着剤Ｃを充填用意すると共に、この接着剤Ｃ内に前記側面板部１２の先端部を差入れてコンクリートブロック塀Ｂに一体に止着するようにしてある。
【００６０】
また、前記コンクリートブロック塀Ｂにおける上端面Ｂｂの水平方向にある溝状凹部４４ｂに、接着剤Ｃ、典型的には、セメント系接着剤、例えば、セメントモルタルを充填用意し、この接着剤Ｃのセメントモルタル内に前記取付け板部２０を差入れ、該コンクリートブロック塀Ｂに一体に止着して、該コンクリートブロック塀Ｂの上端面Ｂｂ上に水平向きにコンクリートブロック塀用化粧体Ａを設け、所謂、笠木状の化粧を備えたコンクリートブロック塀Ｂを構成する。
【００６１】
かかるコンクリートブロック塀Ｂに備えられるコンクリートブロック塀用化粧体Ａは、その側端開口を、必要に応じて、このコンクリートブロック塀Ｂの側端面Ｂｃに備えられる縦向きのコンクリートブロック塀用化粧体Ａによって塞ぐように構成する。
また、必要に応じて、この横向きに備えられたコンクリートブロック塀用化粧体Ａの側端部に前記塞ぎ板５０をタッピングスクリュー５１によって止め付け、このコンクリートブロック塀用化粧体Ａにおける側端側の開口を、この塞ぎ板５０によって塞いだ構成とする。
また、必要に応じて、この横向きに備えられるコンクリートブロック塀用化粧体Ａの側端部に前記塞ぎ板５０を、タッピングスクリュー５１によって前もって止め付け用意し、この塞ぎ板５０を備えたコンクリートブロック塀用化粧体Ａを、この塞ぎ板５０側を側端としてコンクリートブロック塀Ｂの上端面Ｂｂに前記接着剤Ｃで止め付け、側端部の塞がれた、所謂、笠木状の化粧外観のコンクリートブロック塀Ｂを構成する。
【００６２】
なお、この図示例にあっては、このコンクリートブロック塀Ｂにおける上端面Ｂｂに備えられるコンクリートブロック塀用化粧体Ａが、より笠木状に機能するように、該コンクリートブロック塀用化粧体Ａにおける前記側面板部１２が、このコンクリートブロック塀Ｂにおける側面Ｂａの上端側を覆うように該上端面Ｂｂからやや側方に突き出した位置から下方に向けて屈曲して設けられるようにしてある。
【００６３】
また、前記コンクリートブロック塀Ｂにおける側端面Ｂｃの縦方向にある溝状凹部４４ｃに、接着剤Ｃ、典型的には、セメント系接着剤、例えば、セメントモルタルを充填用意し、この接着剤Ｃのセメントモルタル内に当該コンクリートブロック塀用化粧体Ａの取付け板部２０を差入れ、コンクリートブロック塀Ｂに一体に止着して、該コンクリートブロック塀Ｂの側端面Ｂｃに添って当該側端面Ｂｃを覆う小口柱様の付け柱状化粧外観を当該コンクリートブロック塀Ｂにもたらす。
【００６４】
かかるコンクリートブロック塀Ｂに備えられるコンクリートブロック塀用化粧体Ａは、その上端部上を、必要に応じて、このコンクリートブロック塀Ｂに備えられる笠木や、該コンクリートブロック塀Ｂの上端面Ｂｂに備えられる横向きのコンクリートブロック塀用化粧体Ａによって覆うように構成する。
また、必要に応じて、この縦向きに備えられたコンクリートブロック塀用化粧体Ａの上端部に前記塞ぎ板５０をタッピングスクリュー５１によって止め付け、このコンクリートブロック塀用化粧体Ａにおける上端側の開口を、この塞ぎ板５０によって塞いだ構成とする。
また、必要に応じて、この縦向きに備えられるコンクリートブロック塀用化粧体Ａの上端部に前記塞ぎ板５０をタッピングスクリュー５１によって前もって止め付け用意し、この塞ぎ板５０を備えたコンクリートブロック塀用化粧体Ａを、この塞ぎ板５０側を上方にしてコンクリートブロック塀Ｂの側端面Ｂｃに前記接着剤Ｃで止め付け、上端部の塞がれた、所謂、小口柱様の付け柱状化粧外観のコンクリートブロック塀Ｂを構成する。
【００６５】
この図示例にあっては、このコンクリートブロック塀Ｂにおける側端面Ｂｃに備えられるコンクリートブロック塀用化粧体Ａにおける側面板部１２がコンクリートブロック塀Ｂの側面Ｂａに向き合うように前記側端面Ｂｃから離れた位置に備えられていると共に、前記鍔状屈曲部１２ａの先端が該側面Ｂａに近接した状態としてある。
なお、このコンクリートブロック塀Ｂとコンクリートブロック塀用化粧体Ａとの間に構成される隙間に対して前記接着剤Ｃ、例えば、セメントモルタルを充填し、このコンクリートブロック塀用化粧体Ａを前記コンクリートブロック塀Ｂに対して面的に接着するようにしてあってもよい。
【００６６】
なお、前記図示例のコンクリートブロック塀用化粧体Ａは、当該コンクリートブロック塀用化粧体Ａの典型的な一例を示したものであって、前記図示例以外の任意の形状、寸法のコンクリートブロック塀用化粧体Ａを任意の素材によって構成用いることができる。
【００６７】
また、前記図示例のコンクリートブロック塀Ｂは、前記コンクリートブロック塀用化粧体Ａの備えられる典型的なコンクリートブロック塀Ｂの一例を示したものであって、この図示例以外の各種の形態からなるコンクリートブロック塀Ｂを、各種のコンクリートブロック４０によって構成用いることができる。
【００６８】
また、前記図示例にあっては、前記コンクリートブロック塀用化粧体Ａを、各溝状凹部４４ａ、４４ｂ、４４ｃの夫々に取り付けた状態で、当該コンクリートブロック塀Ｂの化粧を構成するようにしてあるが、この溝状凹部４４ａ、４４ｂ、４４ｃの中の任意の一つ以上に、当該コンクリートブロック塀用化粧体Ａを備え付けて当該コンクリートブロック塀Ｂの化粧を構成するようにしてあってもよい。
【００６９】
【発明の効果】
この発明に係るコンクリートブロック塀用化粧体は、コンクリートブロック塀に添装される長尺状の化粧本体部と、該化粧本体部の前記コンクリートブロック塀に向き合う側に突設されて該化粧本体部の長手方向に長い取付け板部とを有し、前記化粧本体部を前記コンクリートブロック塀に添装状態にして、該コンクリートブロック塀に備えられている溝状凹部内に充填された接着剤で前記取付け板部の少なくとも一部を該コンクリートブロック塀に止着して用いるようにしてあることから、該コンクリートブロック塀に長尺状の化粧体を容易且つ確実に設けることができる利点を有している。
【００７０】
また、コンクリートブロック塀の構築に際して、このコンクリートブロック塀に当該化粧体を備え付けることができると共に、既設のコンクリートブロック塀に対して、当該化粧体を容易且つ確実に取付けて、コンクリートブロック塀を特有の意匠的外観を備えたものとして構成できる利点を有している。
【００７１】
また、夫々の化粧目的に対応する外観を有する当該化粧体を用意することによって、コンクリートブロック塀の構成素材や構造などと切り離して、当該コンクリートブロック塀の意匠的外観を形成できる利点を有している。
【図面の簡単な説明】
【図１】典型的な一実施の形態に係るコンクリートブロック塀用化粧体の斜視図
【図２】同平断面図
【図３】典型的な一実施の形態に係るコンクリートブロック塀用化粧体を典型的なコンクリートブロック塀に備えている状態を示す斜視図
【図４】同要部平断面図
【図５】同要部縦断面図
【図６】典型的な一実施の形態に係るコンクリートブロック塀用化粧体を他の典型的なコンクリートブロック塀に備えている状態を示す斜視図
【図７】同要部平断面図
【図８】同要部縦断面図
【符号の説明】
Ａ  コンクリートブロック塀用化粧体
Ｂ  コンクリートブロック塀
Ｃ  接着剤
１０  化粧本体部
１１  化粧板部
１２  側面板部
２０  取付け板部
４４  溝状凹部
【図１】
0004598919.tif 000002
【図２】
0004598919.tif 000003
【図３】
0004598919.tif 000004
【図４】
0004598919.tif 000005
【図５】
0004598919.tif 000006
【図６】
0004598919.tif 000007
【図７】
0004598919.tif 000008
【図８】
0004598919.tif 000009